(57)【要約】【課題】指示体の位置の軌跡を示す画像をリアルタイムに表示面上に表示させた後に、当該軌跡に応じた画像を表示面に表示させる。【解決手段】表示面上における指示体の位置を検出する検出部と、検出部の検出結果に基づき、指示体の位置の軌跡を示す第１の画像を表す第１表示情報を生成する表示情報生成部と、第１表示情報に基づき、表示面上に第１の画像を表示させる表示制御部と、検出結果に基づき、軌跡を示す軌跡情報を生成し、記憶部に記憶させる軌跡情報生成部と、を備え、表示情報生成部は、記憶部に記憶された軌跡情報に基づいて、軌跡に応じた第２の画像を表す第２表示情報を生成し、表示制御部は、第２表示情報に基づき、表示面上に第２の画像を表示させる、ことを特徴とする表示装置。【選択図】図１
2019036024.tif 000002
【特許請求の範囲】
【請求項１】
表示面上における指示体の位置を検出する検出部と、
前記検出部の検出結果に基づき、前記指示体の位置の軌跡を示す第１の画像を表す第１表示情報を生成する表示情報生成部と、
前記第１表示情報に基づき、前記表示面上に前記第１の画像を表示させる表示制御部と、
前記検出結果に基づき、前記軌跡を示す軌跡情報を生成し、記憶部に記憶させる軌跡情報生成部と、
を備え、
前記表示情報生成部は、前記記憶部に記憶された前記軌跡情報に基づいて、前記軌跡に応じた第２の画像を表す第２表示情報を生成し、
前記表示制御部は、前記第２表示情報に基づき、前記表示面上に前記第２の画像を表示させる、
ことを特徴とする表示装置。
【請求項２】
前記検出部は、前記表示面上における前記指示体の位置を周期的に検出し、
前記軌跡情報は、前記検出部が検出した位置を示す位置情報と、前記検出部による位置の検出順序を示す順序情報とを含み、
前記表示情報生成部は、前記位置情報と前記順序情報とに基づいて、前記第２表示情報を生成する、
ことを特徴とする請求項１に記載の表示装置。
【請求項３】
前記軌跡情報は、前記第２の画像の特性を指定する付加情報を含む、
ことを特徴とする請求項１または２に記載の表示装置。
【請求項４】
前記軌跡情報は、前記指示体を識別する識別情報を含む、
ことを特徴とする請求項１または２に記載の表示装置。
【請求項５】
前記表示制御部は、前記第１の画像を前記表示面上に表示させた後に、前記第２の画像を前記表示面上に表示させる、
ことを特徴とする請求項１に記載の表示装置。
【請求項６】
表示面上における第１の指示体の位置を検出して当該検出結果を第１検出情報として出力し、前記表示面上における第２の指示体の位置を検出して当該検出結果を第２検出情報として出力する検出部と、
前記第１検出情報及び前記第２検出情報に基づき、前記第１の指示体の位置の軌跡である第１の軌跡及び前記第２の指示体の位置の軌跡である第２の軌跡を示す軌跡画像を表す軌跡表示情報を生成する表示情報生成部と、
前記軌跡表示情報に基づき、前記表示面上に前記軌跡画像を表示させる表示制御部と、
前記第１検出情報に基づき、前記第１の軌跡を示す第１軌跡情報を生成して記憶部に記憶させ、前記第２検出情報に基づき、前記第２の軌跡を示す第２軌跡情報を生成して前記記憶部に記憶させる軌跡情報生成部と、
を備え、
前記表示情報生成部は、前記記憶部に記憶された前記第１軌跡情報に基づいて前記第１の軌跡に応じた第１の再生画像を表す第１再生表示情報を生成し、前記記憶部に記憶された前記第２軌跡情報に基づいて前記第２の軌跡に応じた第２の再生画像を表す第２再生表示情報を生成し、
前記表示制御部は、前記第１再生表示情報及び前記第２再生表示情報に基づき、前記表示面上に、前記第１の再生画像及び前記第２の再生画像を表示させる、
ことを特徴とする表示装置。
【請求項７】
表示面に画像を表示する表示装置の制御方法であって、
前記表示面上における指示体の位置を検出し、
検出結果に基づき、前記指示体の位置の軌跡を示す第１の画像を表す第１表示情報を生成し、
前記第１表示情報に基づき、前記表示面上に前記第１の画像を表示させ、
前記検出結果に基づき、前記軌跡を示す軌跡情報を生成して記憶部に記憶させ、
前記記憶部に記憶された前記軌跡情報に基づいて、前記軌跡に応じた第２の画像を表す第２表示情報を生成し、
前記第２表示情報に基づき、前記表示面上に前記第２の画像を表示させる、
ことを特徴とする表示装置の制御方法。
【発明の詳細な説明】
【技術分野】
【０００１】
本発明は表示装置、及び表示装置の制御方法に関する。
【背景技術】
【０００２】
表示面における指示体の位置等の情報に基づいて利用者の指示を検出し、検出の結果に応じた画像を表示面に表示させる表示装置（例えば、いわゆるインタラクティブプロジェクター）が知られている（特許文献１参照）。
【先行技術文献】
【特許文献】
【０００３】
【特許文献１】特開２０１６−１８６６８０号公報
【発明の概要】
【発明が解決しようとする課題】
【０００４】
上述のような表示装置は、表示面上における指示体の位置の軌跡をリアルタイムで表示面上に表示させることができる。ところで、このような表示装置を利用する利用者は、指示体の位置の軌跡がリアルタイムに表示面上に表示された後に、当該軌跡を再度表示面上に表示させたいと望む場合がある。
本発明は上述した事情に鑑みてなされたものであり、指示体の位置の軌跡を示す画像をリアルタイムに表示面上に表示させた後に、当該軌跡に応じた画像を表示面上に表示させることができる表示装置を提供することを、解決課題の一つとする。
【課題を解決するための手段】
【０００５】
以上の課題を解決するために、本発明に係る表示装置は、表示面上における指示体の位置を検出する検出部と、検出部の検出結果に基づき、指示体の位置の軌跡を示す第１の画像を表す第１表示情報を生成する表示情報生成部と、第１表示情報に基づき、表示面上に第１の画像を表示させる表示制御部と、検出結果に基づき、軌跡を示す軌跡情報を生成し、記憶部に記憶させる軌跡情報生成部と、を備え、表示情報生成部は、記憶部に記憶された軌跡情報に基づいて、軌跡に応じた第２の画像を表す第２表示情報を生成し、表示制御部は、第２表示情報に基づき、表示面上に第２の画像を表示させる。
上述の表示装置は、指示体の位置の軌跡を示す第１の画像をリアルタイムに表示面上に表示させた後に、当該軌跡に応じた第２の画像を表示面上に表示させることができる。
【０００６】
検出部は、表示面上における指示体の位置を周期的に検出し、軌跡情報は、検出部が検出した位置を示す位置情報と、検出部による位置の検出順序を示す順序情報とを含み、表示情報生成部は、位置情報と順序情報とに基づいて、第２表示情報を生成してもよい。
この態様によれば、指示体の位置が検出された順序に応じた順序で、第２の画像が表示され得る。
【０００７】
軌跡情報は、第２の画像の特性を指定する付加情報を含んでもよい。この態様によれば、表示装置は、付加情報の指定する特性を有する第２の画像を表示させることができる。
【０００８】
軌跡情報は、指示体を識別する識別情報を含んでもよい。この態様によれば、複数の指示体が用いられる場合に、複数の指示体の各々について生成された軌跡情報が、複数の指示体のうちいずれの指示体に対応するのかを判別することが可能となる。
【０００９】
表示制御部は、第１の画像を表示面上に表示させた後に、第２の画像を表示面上に表示させる。この態様によれば、指示体の位置の軌跡を示す第１の画像をリアルタイムに表示面上に表示させた後に、当該軌跡に応じた第２の画像を表示面上に表示させることができる。
【００１０】
本発明は、表示面上における第１の指示体の位置を検出して当該検出結果を第１検出情報として出力し、表示面上における第２の指示体の位置を検出して当該検出結果を第２検出情報として出力する検出部と、第１検出情報及び第２検出情報に基づき、第１の指示体の位置の軌跡である第１の軌跡及び第２の指示体の位置の軌跡である第２の軌跡を示す軌跡画像を表す軌跡表示情報を生成する表示情報生成部と、軌跡表示情報に基づき、表示面上に軌跡画像を表示させる表示制御部と、第１検出情報に基づき、第１の軌跡を示す第１軌跡情報を生成して記憶部に記憶させ、第２検出情報に基づき、第２の軌跡を示す第２軌跡情報を生成して記憶部に記憶させる軌跡情報生成部と、を備え、表示情報生成部は、記憶部に記憶された第１軌跡情報に基づいて第１の軌跡に応じた第１の再生画像を表す第１再生表示情報を生成し、記憶部に記憶された第２軌跡情報に基づいて第２の軌跡に応じた第２の再生画像を表す第２再生表示情報を生成し、表示制御部は、第１再生表示情報及び第２再生表示情報に基づき、表示面上に、第１の再生画像及び第２の再生画像を表示させる、ことを特徴とする表示装置としても理解され得る。
上述の表示装置は、第１の指示体の位置の軌跡及び第２の指示体の位置の軌跡を示す画像をリアルタイムに表示面上に表示させた後に、当該第１の指示体の位置の軌跡及び第２の指示体の位置の軌跡に応じた画像を表示面上に表示せることができる。
【００１１】
本発明は、表示面に画像を表示する表示装置の制御方法であって、表示面上における指示体の位置を検出し、検出結果に基づき、指示体の位置の軌跡を示す第１の画像を表す第１表示情報を生成し、第１表示情報に基づき、表示面上に第１の画像を表示させ、検出結果に基づき、軌跡を示す軌跡情報を生成して記憶部に記憶させ、記憶部に記憶された軌跡情報に基づいて、軌跡に応じた第２の画像を表す第２表示情報を生成し、第２表示情報に基づき、表示面上に第２の画像を表示させる、ことを特徴とする表示装置の制御方法としても理解され得る。
上述の制御方法によれば、表示装置は、指示体の位置の軌跡を示す第１の画像をリアルタイムに表示面上に表示させた後に、当該軌跡に応じた第２の画像を表示面上に表示させることができる。
【図面の簡単な説明】
【００１２】
【図１】本実施形態に係る表示システムの概要を説明するための図である。
【図２】実施形態に係るプロジェクターの機能ブロックの一例を示す図である。
【図３】軌跡情報の一例を示す図である。
【図４】プロジェクターにおける処理の概要を説明するためのフローチャートである。
【図５】プロジェクターにおいて実行される記録モード処理を説明するためのフローチャートである。
【図６】記録モードにおいて表示される画像ＩＭＧの一例を示す図である。
【図７】プロジェクターにおいて実行される再生モード処理を説明するためのフローチャートである。
【図８】再生モードにおいて表示される画像ＩＭＧの一例を示す図である。
【図９】再生モードにおいて表示される画像ＩＭＧの一例を示す図である。
【図１０】再生モードにおいて表示される画像ＩＭＧの一例を示す図である。
【図１１】変形例に係る軌跡情報の一例を示す図である。
【図１２】変形例に係る軌跡情報の一例を示す図である。
【図１３】変形例に係る再生軌跡画像の表示例を示す図である。
【図１４】変形例に係る座標情報Ｃｄosの一例を示す図である。
【発明を実施するための形態】
【００１３】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であり、技術的に好ましい種々の限定が付されている。しかし、本発明の範囲は、以下の説明において特に本発明を限定する旨の記載がない限り、これらの形態に限られるものではない。
【００１４】
１．実施形態
１．１．表示システムの概要
以下、本実施形態に係る表示装置を備える表示システムＳＹＳの概要を説明する。
図１は、本実施形態に係る表示システムＳＹＳの一例を示す説明図である。図１に示すように、表示システムＳＹＳは、例えば壁またはスクリーン等の表示面ＳＣに対して画像ＩＭＧを投射するプロジェクターＰＪ（「表示装置」の一例）と、表示システムＳＹＳの利用者Ｕｒが、プロジェクターＰＪに対して指示を入力するために用いる電子ペンＰＴ（「指示体」の一例）と、を備える。
【００１５】
本実施形態では、表示面ＳＣが、地面に対して略垂直であり、略矩形の形状を有する場合を例示して説明する。また、本実施形態では、説明の便宜上、表示面ＳＣを含む平面上に、ｘ軸及びｘ軸に直交するｙ軸を有する表示面座標系が固定されていると想定する。表示面座標系は、例えば表示面ＳＣの所定の位置を原点とする座標系である。表示面ＳＣは、ｘ軸と略平行な辺ＳＣＬｘと、ｙ軸と略平行な辺ＳＣＬｙと、を有する。
【００１６】
電子ペンＰＴは、電子ペンＰＴ（例えば電子ペンＰＴの先端）が表示面ＳＣに接触しているか否かを検出する接触センサーＰｔｓと、接触センサーＰｔｓの検出結果を示す接触状態信号ＳｐｔをプロジェクターＰＪに送信する送信部（不図示）と、を備える。なお、以下では、接触状態信号Ｓｐｔ及び後述の電源状態信号Ｓｐｎを含む、電子ペンＰＴからプロジェクターＰＪに送信される信号を、指示体信号Ｓｐと総称する場合がある。
本実施形態では、電子ペンＰＴが、接触センサーＰｔｓの検出結果（「接触」または「非接触」）にかかわらず、接触状態信号Ｓｐｔを周期的にプロジェクターＰＪに送信すると想定する。しかし、電子ペンＰＴは、接触状態信号ＳｐｔをプロジェクターＰＪに送信するタイミングにおいて、接触センサーＰｔｓの検出結果が「接触」を示す場合にのみ、接触状態信号Ｓｐｔを送信してもよい。
【００１７】
プロジェクターＰＪは、例えば記録モード、再生モード、及び描画モードを含む複数の動作モードのうちのいずれかの動作モードで動作する。記録モードにおいて、プロジェクターＰＪは、利用者Ｕｒが電子ペンＰＴで描画した軌跡（例えば、文字及び図形等）を示す画像をリアルタイムで表示面ＳＣに投射しつつ、軌跡を示す情報を記録する。再生モードにおいて、プロジェクターＰＪは、記録モードにおいて記録された軌跡を示す情報に基づき、当該軌跡に応じた画像を表示面ＳＣに投射する。描画モードは、電子ペンＰＴで描画された軌跡を示す画像をプロジェクターＰＪがリアルタイムで表示面ＳＣに投射する点において記録モードと同様だが、軌跡を示す情報を記録しない点において記録モードと異なる。
なお、本実施形態において、「電子ペンＰＴで描画する」とは、電子ペンＰＴを表示面ＳＣに接触させた状態で電子ペンＰＴを動かすことを指す。
【００１８】
図１は、プロジェクターＰＪが記録モードで動作する場合の例を示す。記録モードにおいて、プロジェクターＰＪは、電子ペンＰＴから接触状態信号Ｓｐｔが送信されたタイミングにおいて後述の撮像部１２が撮影した画像に基づいて、表示面ＳＣにおいて電子ペンＰＴが接触した位置を検出する。そして、プロジェクターＰＪは、表示面ＳＣ上における電子ペンＰＴの位置の軌跡（より正確には、電子ペンＰＴと表示面ＳＣとが接触した位置の軌跡）Ｒｃを示す画像である入力軌跡画像ＭｔＲ（「第１の画像」の一例）を生成し、入力軌跡画像ＭｔＲを含む画像ＩＭＧを、表示面ＳＣに投射する。換言すると、記録モードにおいて、利用者Ｕｒは、電子ペンＰＴで描画することにより、電子ペンＰＴの位置の軌跡Ｒｃ（以下、単に「電子ペンＰＴの軌跡Ｒｃ」と表現する）を示す情報をプロジェクターＰＪに入力することができる。入力軌跡画像ＭｔＲは、利用者Ｕｒによる描画と並行してリアルタイムに表示面ＳＣに表示される。
電子ペンＰＴの軌跡Ｒｃとは、利用者Ｕｒが電子ペンＰＴにより描画しようとする期間において、電子ペンＰＴと表示面ＳＣとが接触した表示面ＳＣ上の位置の集合（または、当該位置の集合により規定される線分もしくは曲線等の図形の集合）である。
【００１９】
本実施形態において、表示面ＳＣに投射される画像ＩＭＧは、入力軌跡画像ＭｔＲに代えて、プロジェクターＰＪと接続された外部機器（不図示）からプロジェクターＰＪに供給された信号が表す画像（以下、供給画像と称する）を含んでもよいし、プロジェクターＰＪが内部で生成した信号が表す画像（以下、生成画像と称する）を含んでもよい。また、画像ＩＭＧは、入力軌跡画像ＭｔＲ、供給画像、及び生成画像の３種類の画像のうちの、任意の２種類以上の画像が重畳された画像であってもよい。
【００２０】
本実施形態において、生成画像は、電子ペンＰＴの軌跡Ｒｃに応じた画像であって、再生モードにおいて表示面ＳＣに表示される再生軌跡画像ＭｔＰ（「第２の画像」の一例。詳細は後述する）と、図１に例示する画像ＩＭＧに含まれるメニューＭＮと、を包含する概念である。
メニューＭＮは、利用者Ｕｒが、プロジェクターＰＪの動作モードを選択するために用いる画像である。図１に示す例では、メニューＭＮが、記録ボタンＢｔｒと、再生ボタンＢｔｐと、早送りボタンＢｔｆと、巻き戻しボタンＢｔｗと、一時停止ボタンＢｔｕと、停止ボタンＢｔｓと、を含む。以下では、メニューＭＮに含まれるボタンをボタンＢｔと総称する場合がある。
【００２１】
利用者Ｕｒは、例えば、ボタンＢｔが表示されている表示面ＳＣ上の領域に電子ペンＰＴで触れることで、当該ボタンＢｔを選択することができる。ボタンＢｔが選択されると、プロジェクターＰＪは、選択されたボタンＢｔに応じた動作モードにて動作する。例えば、記録ボタンＢｔｒが選択されると、プロジェクターＰＪは記録モードで動作し、再生ボタンＢｔｐが選択されると、プロジェクターＰＪは通常再生モードで動作する。また、早送りボタンＢｔｆが選択されると、プロジェクターＰＪは早送り再生モードで動作し、巻き戻しボタンＢｔｗが選択されると、プロジェクターＰＪは巻き戻し再生モードで動作する。通常再生モード、早送り再生モード、及び巻き戻し再生モードは、それぞれ再生モードの一種である。以下では、通常再生モード及び早送り再生モードを、順方向再生モードと総称する場合がある。なお、以下において、特に断りがなく動作モードを単に「再生モード」と表現する場合には、「通常再生モード」を意味するものとする。プロジェクターＰＪが記録モードまたは再生モードで動作している場合に停止ボタンＢｔｓまたは一時停止ボタンＢｔｕが選択されると、プロジェクターＰＪは描画モードにて動作する。
【００２２】
１．２．プロジェクターの構成
図２は、プロジェクターＰＪの構成例を示すブロック図である。プロジェクターＰＪは、表示面ＳＣを含む領域の画像を撮影して、撮影した画像を表す撮像画像信号Ｇｃを生成する撮像部１２と、電子ペンＰＴからの指示体信号Ｓｐを受け付ける信号受付部１４と、画像ＩＭＧを表示面ＳＣに投射する投射部１６と、プロジェクターＰＪの動作モードを示すモード情報Ｍｄ及びプログラムを含む各種のデータを記憶する記憶部１８と、プロジェクターＰＪの各要素の動作を制御する制御部１０と、を備える。撮像部１２は、１つ以上のカメラを含んでよい。投射部１６は、例えば液晶パネル等の光変調装置及び光源を含む。なお、撮像部１２が含むカメラ、並びに、投射部１６が含む光変調装置及び光源の図示は省略する。記憶部１８は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。なお、本明細書中において、「非一過性」の記録媒体とは、一過性の伝搬信号（transitory, propagating signal）を除く全てのコンピュータ読み取り可能な記録媒体を含み、揮発性の記録媒体を除外するものではない。
【００２３】
制御部１０は、座標情報Ｃｄを生成する操作情報処理部１０２と、画像ＩＭＧを表す表示画像信号Ｇｐを生成する表示情報生成部１０４と、表示画像信号Ｇｐに基づいて画像ＩＭＧを表示面ＳＣに表示させる表示制御部１０６と、座標情報Ｃｄに基づいて軌跡情報ＴＦを生成する軌跡情報生成部１０８と、を備える。
【００２４】
操作情報処理部１０２は、撮像部１２から供給される撮像画像信号Ｇｃ及び信号受付部１４から供給される接触状態信号Ｓｐｔに基づいて表示面ＳＣ上における電子ペンＰＴの位置を検出し、検出結果を示す座標情報Ｃｄを生成する検出部１１２と、座標情報Ｃｄに基づいて、電子ペンＰＴを介して入力された利用者Ｕｒからの指示の種類を判断する判断部１１４と、プロジェクターＰＪの動作モードに応じて、座標情報Ｃｄを制御部１０内の他の要素に供給する供給部１１６と、を含む。本実施形態において、座標情報Ｃｄは、表示面座標系のｘ軸における位置を示す情報及び表示面座標系のｙ軸における位置を示す情報を含む。以下では、座標情報Ｃｄを座標情報Ｃｄ（ｘ，ｙ）と表現する場合がある。
【００２５】
本実施形態において、検出部１１２は、周期的（例えば、２０ミリ秒毎）に電子ペンＰＴの位置を検出し、検出の結果を示す座標情報Ｃｄを生成するものとする。なお、位置を検出するタイミングにおいて、接触状態信号Ｓｐｔが「非接触」（電子ペンＰＴと表示面ＳＣとが接触していない）を示す場合、本実施形態に係る検出部１１２は、電子ペンＰＴの位置の検出を行わない。位置の検出を行わない場合において、本実施形態に係る検出部１１２は、特定の位置を示さない座標情報Ｃｄを生成するものとする。
なお、検出部１１２による電子ペンＰＴの位置の検出は、プロジェクターＰＪの電源が入れられた後に開始されてもよいし、電子ペンＰＴの電源が入れられた旨を示す電源状態信号Ｓｐｎを信号受付部１４が受信した後に開始されてもよい。
【００２６】
判断部１１４は、座標情報Ｃｄの示す表示面ＳＣ上の位置が、ボタンＢｔが表示されている領域内にある場合には、当該ボタンＢｔが押下（選択）されたと判断する。また、判断部１１４は、判断の結果に応じて、記憶部１８に記憶されているモード情報Ｍｄを更新する。例えば、記録ボタンＢｔｒが選択されたと判断した場合、判断部１１４は、モード情報Ｍｄが「記録モード」を示すようモード情報Ｍｄを更新する。
【００２７】
供給部１１６は、記憶部１８に記憶されたモード情報Ｍｄに応じて、制御部１０内の異なる要素に座標情報Ｃｄを供給する。具体的に、供給部１１６は、モード情報Ｍｄが「記録モード」を示す場合には、座標情報Ｃｄを表示情報生成部１０４及び軌跡情報生成部１０８に供給する。一方で、供給部１１６は、モード情報Ｍｄが「描画モード」を示す場合には、座標情報Ｃｄを表示情報生成部１０４に供給するが、軌跡情報生成部１０８には供給しない。本実施形態において、供給部１１６は、モード情報Ｍｄが示す動作モードが「記録モード」でも「描画モード」でもない場合には、制御部１０内のいずれの要素にも座標情報Ｃｄを供給しないと想定する。すなわち、プロジェクターＰＪが例えば再生モードである場合には表示画像信号Ｇｐが作成されず、電子ペンＰＴの軌跡Ｒｃを示す画像は表示面ＳＣに表示されない。
【００２８】
軌跡情報生成部１０８は、供給部１１６から供給された座標情報Ｃｄに基づいて、電子ペンＰＴの軌跡Ｒｃを示す軌跡情報ＴＦを生成し、記憶部１８に記憶させる。図３は、本実施形態における軌跡情報ＴＦの一例を示す図である。本実施形態において、軌跡情報ＴＦは、テーブルＴＢＬに格納されて記憶部１８に記憶される。図３に示すように、本実施形態の軌跡情報ＴＦは、電子ペンＰＴの位置を示す位置情報Ｆｈと、電子ペンＰＴの位置が検出された順序を示す順序情報Ｆｂと、を含む。より具体的には、本実施形態に係る位置情報Ｆｈは、検出部１１２により検出された複数の位置を示す複数の座標情報Ｃｄの集合である。また、本実施形態に係る順序情報Ｆｂは、位置情報Ｆｈに含まれる座標情報Ｃｄが示す位置が検出部１１２により検出された順序を示すシーケンス番号の集合である。本実施形態において、軌跡情報生成部１０８は、座標情報Ｃｄとシーケンス番号とを、１対１に対応付けて記憶させる。
【００２９】
図３では、軌跡情報ＴＦがＮ個（Ｎは、１≦Ｎを満たす整数）の座標情報Ｃｄを含む位置情報Ｆｈと、１〜Ｎまでのシーケンス番号を含む順序情報Ｆｂと、を含む場合を例示する。例えば、シーケンス番号「１」に対応する座標情報Ｃｄ（１２５，２００）は、１番目の検出時点に検出された電子ペンＰＴの位置を示す。また、シーケンス番号「４」に対応する座標情報Ｃｄ（「Ｎ／Ａ」）は、４番目の検出時点において、検出部１１２が位置を検出しなかったことを示す。以下では、位置の検出が行われなかったことを示す座標情報Ｃｄを、非検出座標情報Ｃｄｈと称する場合がある。また、シーケンス番号「ｎ」に対応する座標情報Ｃｄを、座標情報ＣｄＳＮｎと表現する場合がある（ｎは、１≦ｎ≦Ｎを満たす整数）。
なお、１番目の検出時点とは、例えばモード情報Ｍｄが示す動作モードが、「記録モード」以外の動作モードから「記録モード」と更新された時刻（記録時刻Ｔｍ０と称する）であり、４番目の検出時点とは、例えば記録時刻Ｔｍ０から６０ミリ秒後の時刻である。
【００３０】
図２に説明を戻す。表示情報生成部１０４は、座標情報Ｃｄに基づいて、表示面ＳＣに投射される画像ＩＭＧを表す表示画像信号Ｇｐを生成する。より詳細には、表示情報生成部１０４は、記録モードまたは描画モードにおいては、供給部１１６から供給される座標情報Ｃｄに基づき、リアルタイムで表示される入力軌跡画像ＭｔＲを表す入力画像情報ＧｔＲ（「第１表示情報」の一例）を生成する。そして、入力画像情報ＧｔＲに基づき、入力軌跡画像ＭｔＲを含む画像ＩＭＧを表す表示画像信号Ｇｐを生成する。
一方で、表示情報生成部１０４は、再生モードにおいては、記憶部１８に記憶された軌跡情報ＴＦを取得し、取得した軌跡情報ＴＦに基づいて、再生軌跡画像ＭｔＰを表す再生画像情報ＧｔＰ（「第２表示情報」の一例）を生成する。再生軌跡画像ＭｔＰは、記録モードにおける処理の開始時刻から当該処理中のある時刻までの間の期間において記録された、電子ペンＰＴの軌跡Ｒｃを示す画像である。そして、表示情報生成部１０４は、再生画像情報ＧｔＰに基づき、再生軌跡画像ＭｔＰを含む画像ＩＭＧを表す表示画像信号Ｇｐを生成する。
【００３１】
なお、本実施形態では、記録モードまたは描画モードにおいて入力軌跡画像ＭｔＲが表示される表示面ＳＣ上の位置と、再生モードにおいて再生軌跡画像ＭｔＰが表示される表示面ＳＣ上の位置とは、略等しいと想定する。ここで、「略等しい」とは、完全に等しい場合の他に、設計上は等しいが、例えばプロジェクターＰＪの製造誤差に起因して発生する誤差を考慮すれば等しいとみなせる場合を含む概念である。
【００３２】
以下、表示情報生成部１０４が再生モードにおいて再生画像情報ＧｔＰを生成する処理（以下、再生画像情報生成処理と称する場合がある）について、図３に示す軌跡情報ＴＦの例を用いて説明する。以下では、座標情報ＣｄＳＮｋ及び座標情報ＣｄＳＮｋ＋１（ｋは、１≦ｋ≦Ｎ−１を満たす整数）が示す２つの位置を結ぶ線分を線分Ｗｋと称する。本実施形態において、表示情報生成部１０４は、軌跡情報ＴＦに含まれる座標情報Ｃｄの個数Ｎに応じて定められる再生期間における時刻（再生時刻Ｔｙと称する）に応じて、再生画像情報ＧｔＰを生成する。なお、再生期間は、例えば、モード情報Ｍｄが示す動作モードが、各種再生モード以外の動作モードから通常再生モードに更新された後に開始される期間である。
より具体的には、表示情報生成部１０４は、再生期間のうちｋ番目の再生時刻Ｔｙ（再生時刻Ｔｙｋと称する）において、再生軌跡画像ＭｔＰｋを表す再生画像情報ＧｔＰを生成する。そして、表示情報生成部１０４は、ｋ＋１番目の再生時刻Ｔｙｋ＋１において、再生軌跡画像ＭｔＰｋに対して線分Ｗｋ＋１を付加することで再生軌跡画像ＭｔＰｋ＋１を生成し（または再生軌跡画像ＭｔＰｋを再生軌跡画像ＭｔＰｋ＋１に更新し）、再生軌跡画像ＭｔＰｋ＋１を表す再生画像情報ＧｔＰを生成する。
例えば、表示情報生成部１０４は、再生期間のうち最初の再生時刻Ｔｙ１において、線分Ｗ１を再生軌跡画像ＭｔＰ１として表す再生画像情報ＧｔＰを生成する。次に、２番目の再生時刻Ｔｙ２において、再生時刻Ｔｙ１で生成した再生軌跡画像ＭｔＰ１に対して線分Ｗ２を付加することで生成した再生軌跡画像ＭｔＰ２を表す再生画像情報ＧｔＰを生成する。そして、再生期間のうち最後の再生時刻ＴｙＮ−１において、表示情報生成部１０４は、線分Ｗ１〜線分ＷＮ−１の集合を再生軌跡画像ＭｔＰＮ−１として表す再生画像情報ＧｔＰを生成する。
【００３３】
このように、本実施形態の表示情報生成部１０４は、再生時刻Ｔｙｋにおいて、線分Ｗ１〜線分Ｗｋの集合を示す再生軌跡画像ＭｔＰを表す再生画像情報ＧｔＰを生成する。これにより、表示情報生成部１０４は、再生時刻Ｔｙ１〜再生時刻ＴｙＮ−１までの再生期間において、利用者ＵｒがプロジェクターＰＪに対して軌跡Ｒｃを入力する様子を再現することが可能となる。
【００３４】
以上に説明した再生画像情報生成処理の例では、座標情報ＣｄＳＮｋ及び座標情報ＣｄＳＮｋ＋１の少なくとも一方が非検出座標情報Ｃｄｈである場合、線分Ｗｋは生成されない。例えば、図３の例において、座標情報ＣｄＳＮ４は非検出座標情報Ｃｄｈである。したがって、座標情報ＣｄＳＮ３及び座標情報ＣｄＳＮ４が示す位置を結ぶ線分Ｗ３、及び、座標情報ＣｄＳＮ４及び座標情報ＣｄＳＮ５が示す位置を示す線分Ｗ４は生成されない。
【００３５】
なお、表示情報生成部１０４は、以上に説明した例に代えて、軌跡情報ＴＦにおいて所定の閾値ＴＨｖ未満の個数の非検出座標情報Ｃｄｈが連続する場合には、当該連続する非検出座標情報Ｃｄｈに対応するシーケンス番号のうち最小のシーケンス番号の直前のシーケンス番号に対応する座標情報Ｃｄが示す位置と、最大のシーケンス番号の直後のシーケンス番号に対応する座標情報が示す位置とを結ぶ線分を生成してもよい。例えば、閾値ＴＨｖが「２」である場合を想定する。図３の例において、非検出座標情報Ｃｄｈは、座標情報ＣｄＳＮ４の１つのみであるため、非検出座標情報Ｃｄｈが連続する数は閾値ＴＨｖ未満である。したがって、シーケンス番号「４」の直前のシーケンス番号「３」に対応する座標情報ＣｄＳＮ３が示す位置と、シーケンス番号「４」の直後のシーケンス番号「５」に対応する座標情報ＣｄＳＮ５が示す位置とを結ぶ線分が生成される。
【００３６】
以上に説明した再生画像情報生成処理では、再生軌跡画像ＭｔＰが線分Ｗｋの集合を示す態様を例示して説明した。しかし、検出部１１２による電子ペンＰＴの位置の検出の時間間隔が所定の時間間隔よりも短い場合、すなわち、座標情報ＣｄＳＮｋが示す位置と座標情報ＣｄＳＮｋ＋１が示す位置との距離が所定の距離よりも短い場合には、再生軌跡画像ＭｔＰは、軌跡情報ＴＦに含まれる座標情報Ｃｄのうち、非検出座標情報Ｃｄｈを除く座標情報Ｃｄが示す位置における点を示してもよい。以下では、座標情報ＣｄＳＮｎが示す位置における点を、点Ｄｔｎと称する。
より具体的には、この態様において、表示情報生成部１０４は、ｎ番目の再生時刻Ｔｙ（再生時刻Ｔｙｎと称する）において、非検出座標情報Ｃｄｈを除く、点Ｄｔ１〜点Ｄｔｎの集合を示す再生軌跡画像ＭｔＰｎを表す再生画像情報ＧｔＰを生成する。
【００３７】
以上では、通常再生モードにおける再生画像情報生成処理について説明した。早送り再生モードにおける再生画像情報生成処理は、２つの連続する再生時刻Ｔｙの時間間隔が通常再生モードよりも短い点を除き、通常再生モードと同様である。
順方向再生モード（通常再生モード及び早送り再生モード）において、利用者ＵｒがプロジェクターＰＪに対して軌跡Ｒｃを入力する様子が再現されるのに対し、巻き戻し再生モードにおいては、利用者Ｕｒによる軌跡Ｒｃの入力が時間的に反転されて再現される。
【００３８】
再生軌跡画像ＭｔＰが線分Ｗｋの集合を示す態様における、巻き戻し再生モードの再生画像情報生成処理の例を説明する。表示情報生成部１０４は、再生期間のうちｋ番目の再生時刻Ｔｙｋにおいて、線分Ｗ１〜線分ＷＮ−ｋの集合を示す再生軌跡画像ＭｔＰｋを表す再生画像情報ＧｔＰを生成する。そして、ｋ＋１番目の再生時刻Ｔｙｋ＋１において、再生軌跡画像ＭｔＰｋから線分ＷＮ−ｋを削除して生成した再生軌跡画像ＭｔＰｋ＋１を表す再生画像情報ＧｔＰを生成する。
例えば、再生期間のうち最初の再生時刻Ｔｙ１において、表示情報生成部１０４は、線分Ｗ１〜線分ＷＮ−１の集合を再生軌跡画像ＭｔＰ１として表す再生画像情報ＧｔＰを生成する。２番目の再生時刻Ｔｙ２において、表示情報生成部１０４は、再生軌跡画像ＭｔＰ１から線分ＷＮ−１を削除して生成した再生軌跡画像ＭｔＰ２（線分Ｗ１〜線分ＷＮ−２の集合）を表す再生画像情報ＧｔＰを生成する。そして、再生期間のうち最後の再生時刻ＴｙＮ−１において、表示情報生成部１０４は、線分Ｗ１を再生軌跡画像ＭｔＰＮ−１として表す再生画像情報ＧｔＰを生成する。
【００３９】
次に、再生軌跡画像ＭｔＰが点Ｄｔｎの集合を示す態様における、巻き戻し再生モードの再生画像情報生成処理の例を説明する。表示情報生成部１０４は、再生期間のうちｎ番目の再生時刻Ｔｙｎにおいて、点Ｄｔ１〜点ＤｔＮ−ｎ＋１の集合を再生軌跡画像ＭｔＰｎとして表す再生画像情報ＧｔＰを生成する。そして、ｎ＋１番目の再生時刻Ｔｙｎ＋１において、再生軌跡画像ＭｔＰｎから点ＤｔＮ−ｎ＋１を削除して生成した再生軌跡画像ＭｔＰｎ＋１を表す再生画像情報ＧｔＰを生成する。
例えば、再生期間のうち最初の再生時刻Ｔｙ１において、表示情報生成部１０４は、点Ｄｔ１〜点ＤｔＮの集合を再生軌跡画像ＭｔＰ１として表す再生画像情報ＧｔＰを生成する。２番目の再生時刻Ｔｙ２において、表示情報生成部１０４は、再生軌跡画像ＭｔＰ１から点ＤｔＮを削除して生成した再生軌跡画像ＭｔＰ２（点Ｄｔ１〜点ＤｔＮ−１の集合）を表す再生画像情報ＧｔＰを生成する。そして、再生期間のうち最後の再生時刻ＴｙＮにおいて、表示情報生成部１０４は、点Ｄｔ１を再生軌跡画像ＭｔＰＮとして表す再生画像情報ＧｔＰを生成する。
【００４０】
表示情報生成部１０４は、以上のようにして順次に生成された再生画像情報ＧｔＰの各々に基づき、再生軌跡画像ＭｔＰを含む画像ＩＭＧを表す表示画像信号Ｇｐを順次に生成する。
【００４１】
表示制御部１０６は、表示情報生成部１０４から供給される表示画像信号Ｇｐが表す画像ＩＭＧを表示面ＳＣに投射するよう投射部１６を制御する。より具体的には、表示制御部１０６は、記録モードまたは描画モードにおいては、入力画像情報ＧｔＲに基づいて順次に生成された表示画像信号Ｇｐに基づき、入力軌跡画像ＭｔＲを含む画像ＩＭＧを、順番に表示面ＳＣに表示させる。また、表示制御部１０６は、再生モードにおいては、再生画像情報ＧｔＰに基づいて順次に生成された表示画像信号Ｇｐに基づき、再生軌跡画像ＭｔＰを含む画像ＩＭＧを、順番に表示面ＳＣに表示させる。
【００４２】
制御部１０及び制御部１０が備える要素は、プロジェクターＰＪ内の不図示のＣＰＵ（Central Processing Unit）が、記憶部１８に記憶されたプログラムを実行し、そのプログラムに従って機能することにより実現される機能ブロックである。
【００４３】
１．３．プロジェクターの動作
次に、図４から図６を参照して、プロジェクターＰＪにおける処理の一例を説明する。
図４は、プロジェクターＰＪの処理例の概要を示す図である。図４に示すように、判断部１１４が、記録ボタンＢｔｒが押下されたと判断すると（S1:YES）、制御部１０は、記録モードにおける処理（以下、記録モード処理と称する）を実行する（S2）。ステップS1における判断の結果が否定の場合（S1:NO）、制御部１０は処理をステップS3に進める。そして、判断部１１４が、再生ボタンＢｔｐが押下されたと判断すると（S3:YES）、制御部１０は、記憶部１８に軌跡情報ＴＦが格納されているか否かを判断する（S4）。記憶部１８に軌跡情報ＴＦが格納されている場合（S4:YES）、制御部１０は、再生モードにおける処理（以下、再生モード処理と称する）を実行する（S4）。ステップS3またはS4における判断の結果が否定である場合（S3:NOまたはS4:NO）、制御部１０は処理を終了する。
【００４４】
図５を参照して、記録モード処理を説明する。図５は、記録モード処理の一例を示すフローチャートである。
記録モード処理が開始されると、供給部１１６は、検出部１１２が生成した座標情報Ｃｄを、表示情報生成部１０４及び軌跡情報生成部１０８に供給する（S202）。表示情報生成部１０４は、供給された座標情報Ｃｄに基づき、電子ペンＰＴの軌跡Ｒｃを示す入力軌跡画像ＭｔＲを表す入力画像情報ＧｔＲを生成する（S204）。そして、表示情報生成部１０４は、生成した入力画像情報ＧｔＲが表す入力軌跡画像ＭｔＲに、メニューＭＮ等の画像を重畳させて、画像ＩＭＧを表す表示画像信号Ｇｐを生成する（S206）。表示制御部１０６は、表示情報生成部１０４が生成した表示画像信号Ｇｐに基づき、画像ＩＭＧを表示面ＳＣに表示させる（S208）。換言すると、表示制御部１０６は、表示画像信号Ｇｐに含まれる入力画像情報ＧｔＲに基づいて、入力軌跡画像ＭｔＲを表示面ＳＣに表示させる。図６は、記録モードにおいて、利用者Ｕｒが電子ペンＰＴで文字「ＡＢＣＤ」を描画した場合の表示例を示す。図６に示す例において、表示情報生成部１０４は、文字「ＡＢＣＤ」を示す入力軌跡画像ＭｔＲを生成する。図６に示す画像ＩＭＧには、文字「ＡＢＣＤ」を示す入力軌跡画像ＭｔＲと、メニューＭＮとが含まれる。
ステップS210において、軌跡情報生成部１０８は、供給部１１６から供給された座標情報Ｃｄに基づき、軌跡情報ＴＦを生成し、記憶部１８に格納する。なお、図５では、ステップS210の処理がステップS208の後に行われる例が示されるが、この例には限られない。例えば、ステップS210は、ステップS202の後であってステップS204の前に行われてもよいし、ステップS204〜S208と並行して行われてもよい。ステップS212において、判断部１１４が、停止ボタンＢｔｓが押下されたと判断すると（S212:YES）、記録モード処理は終了する。ステップS212における判断の結果が否定である場合（S212:NO）、制御部１０は、ステップS202に処理を進める。なお、ステップS210の処理が２回以上行われる場合、軌跡情報生成部１０８は、２回目以降のステップS210の処理においては、１回目の処理において生成した軌跡情報ＴＦを更新する。
【００４５】
なお、以上では、ステップS212において、判断部１１４が停止ボタンＢｔｓが押下されたと判断した場合（S212:YES）に記録モード処理が終了する場合を例示して説明した。しかし、制御部１０は、ステップS212の判断の結果が肯定となった場合、または、所定の待機期間にわたって検出部１１２が電子ペンＰＴの位置を検出しなかった場合に、記録モード処理を終了させてもよい。ここで、「所定の待機期間にわたって検出部１１２が電子ペンＰＴの位置を検出しなかった場合」は、非検出座標情報Ｃｄｈが連続して生成された数により判断されてもよいし、信号受付部１４から供給される接触状態信号Ｓｐｔが「接触」を最後に示してからの経過時間により判断されてもよい。
【００４６】
次に、図７を参照して再生モード処理を説明する。図７は、再生モード処理の一例を示すフローチャートである。
再生モード処理が開始されると、表示情報生成部１０４は、記憶部１８に格納されたテーブルＴＢＬを参照して軌跡情報ＴＦを取得し（S502）、取得した軌跡情報ＴＦに基づいて再生画像情報ＧｔＰを生成する（S504）。より具体的に、ステップS504において、表示情報生成部１０４は、記録モード処理において生成され、記憶部１８に記憶された軌跡情報ＴＦに含まれる位置情報Ｆｈ及び順序情報Ｆｂに基づいて、電子ペンＰＴの軌跡Ｒｃに応じた再生軌跡画像ＭｔＰを示す再生画像情報ＧｔＰを生成する。すなわち、一の軌跡Ｒｃに対応する再生画像情報ＧｔＰは、当該一の軌跡Ｒｃに対応する入力画像情報ＧｔＲよりも時間軸上において後に生成される。
なお、上述のように、再生モードにおいて、表示情報生成部１０４は、再生時刻Ｔｙに応じて再生画像情報ＧｔＰを生成する。
【００４７】
表示情報生成部１０４は、生成した再生画像情報ＧｔＰが表す再生軌跡画像ＭｔＰにメニューＭＮ等の画像を重畳させて、画像ＩＭＧを表す表示画像信号Ｇｐを生成する（S506）。表示制御部１０６は、表示情報生成部１０４が生成した表示画像信号Ｇｐに基づき、画像ＩＭＧを表示面ＳＣに表示させる（S508）。換言すると、表示制御部１０６は、表示画像信号Ｇｐに含まれる再生画像情報ＧｔＰに基づいて、再生軌跡画像ＭｔＰを表示面ＳＣに表示させる。上述の説明から理解されるように、表示制御部１０６が一の軌跡Ｒｃに対応する再生軌跡画像ＭｔＰを表示面ＳＣに表示させるのは、当該一の軌跡Ｒｃに対応する入力軌跡画像ＭｔＲを表示面ＳＣに表示させた後である。
ステップS510において、判断部１１４が、停止ボタンＢｔｓが押下されたと判断した場合、または、表示情報生成部１０４が、再生期間のうち最後の再生時刻ＴｙＮ−１（もしくはＴｙＮ）において、線分Ｗ１〜線分ＷＮ−１の集合（もしくは点Ｄｔ１〜点ＤｔＮの集合）を示す再生軌跡画像ＭｔＰを表す再生画像情報ＧｔＰを生成して表示画像信号Ｇｐを生成した場合（S510:YES）、再生モード処理は終了する。ステップS510における判断の結果が否定である場合（S510:NO）、制御部１０は、ステップS504に処理を進める。
【００４８】
図８から図１０は、再生モード処理において、文字「ＡＢＣＤ」を示す軌跡Ｒｃを示す軌跡情報ＴＦに基づいて生成される再生軌跡画像ＭｔＰの、経時的な変化を説明するための図である。図８は、再生期間のうち再生時刻Ｔｙ１よりも時間軸上で後の、ＱＡ番目の再生時刻ＴｙＱＡにおいて表示される再生軌跡画像ＭｔＰＱＡの表示例を示す（ＱＡは、１＜ＱＡ＜Ｎ−１を満たす整数）。再生時刻ＴｙＱＡにおいて、表示情報生成部１０４は、例えば線分Ｗ１〜線分ＷＱＡの集合を再生軌跡画像ＭｔＰＱＡとして表す再生画像情報ＧｔＰを生成する。図８に示すように、再生軌跡画像ＭｔＰＱＡは、文字「Ａ」と、文字「Ｂ」の一部と、を含む。
図９は、再生期間のうち再生時刻ＴｙＱＡよりも時間軸上で後の、ＱＢ番目の再生時刻ＴｙＱＢにおいて表示される再生軌跡画像ＭｔＰＱＢの表示例を示す（ＱＢは、ＱＡ＜ＱＢ＜Ｎ−１を満たす整数）。再生時刻ＴｙＱＢにおいて、表示情報生成部１０４は、例えば線分Ｗ１〜線分ＷＱＢの集合を再生軌跡画像ＭｔＰＱＢとして表す再生画像情報ＧｔＰを生成する。図９に示すように、再生時刻ＴｙＱＢにおいては、文字「ＡＢ」と、文字「Ｃ」の一部と、が表示される。
図１０は、再生期間のうち再生時刻ＴｙＱＢよりも時間軸上で後の、ＱＣ番目の再生時刻ＴｙＱＣにおいて表示される再生軌跡画像ＭｔＰＱＣの表示例を示す（ＱＣは、ＱＢ＜ＱＣ＝Ｎ−１を満たす整数）。再生時刻ＴｙＱＣにおいて、表示情報生成部１０４は、例えば線分Ｗ１〜線分ＷＱＣの集合を再生軌跡画像ＭｔＰＱＣとして表す再生画像情報ＧｔＰを生成する。図１０に示すように、再生時刻ＴｙＱＣにおいては、文字「ＡＢＣＤ」が表示される。
【００４９】
このように、図８から図１０に例示する再生軌跡画像ＭｔＰは、通常再生モードにおいて、再生軌跡画像ＭｔＰＱＡ、再生軌跡画像ＭｔＰＱＢ、再生軌跡画像ＭｔＰＱＣの順で表示される。また、図８から図１０に例示する各再生軌跡画像ＭｔＰが含む文字数（すなわち、本例においては線分数）も、再生軌跡画像ＭｔＰＱＡ、再生軌跡画像ＭｔＰＱＢ、再生軌跡画像ＭｔＰＱＣの順で多くなる。
【００５０】
図１０に示す、再生時刻ＴｙＱＣにおいて表示される再生軌跡画像ＭｔＰＱＣは、線分Ｗ１〜線分ＷＮ−１の集合を示す再生軌跡画像ＭｔＰの例である。換言すると、再生軌跡画像ＭｔＰＱＣは、再生期間のうち最後の再生時刻ＴｙＮ−１において生成される再生画像情報ＧｔＰが表す再生軌跡画像ＭｔＰＮ−１の例である。したがって、再生軌跡画像ＭｔＰＱＣを含む画像ＩＭＧが表示面ＳＣに表示された後、図７のステップS510の判断の結果は肯定となり、再生モード処理は終了する。
【００５１】
なお、上述のように、早送り再生モードにおいても、通常再生モードと同じ順番で再生軌跡画像ＭｔＰＱＡ、再生軌跡画像ＭｔＰＱＢ、及び再生軌跡画像ＭｔＰＱＣが表示される。一方で、上述のように、巻き戻し再生モードにおいては、通常再生モードとは逆の順番で再生軌跡画像ＭｔＰＱＡ、再生軌跡画像ＭｔＰＱＢ、及び再生軌跡画像ＭｔＰＱＣが表示される。具体的に、巻き戻し再生モードにおいて、これらの再生軌跡画像ＭｔＰは、再生軌跡画像ＭｔＰＱＣ、再生軌跡画像ＭｔＰＱＢ、再生軌跡画像ＭｔＰＱＡの順で表示される。
【００５２】
以上に説明したように、本実施形態のプロジェクターＰＪは、電子ペンＰＴの軌跡Ｒｃを示す入力軌跡画像ＭｔＲをリアルタイムで表示面ＳＣに表示させた後に、軌跡Ｒｃに応じた再生軌跡画像ＭｔＰを表示面ＳＣに表示させることができる。特に、本実施形態に係る軌跡情報ＴＦは、複数の座標情報Ｃｄを含む位置情報Ｆｈ及び、当該複数の座標情報Ｃｄが示す位置が検出された順序を示すシーケンス番号を含む順序情報Ｆｂを含む。このため、本実施形態によれば、電子ペンＰＴの位置が検出された順序に応じた順序で、再生軌跡画像ＭｔＰが表示され得る。
電子ペンＰＴの軌跡Ｒｃを示す画像をリアルタイムでのみ表示面ＳＣに表示させる態様（以下、対比例と称する）においては、利用者が、リアルタイムで表示された軌跡Ｒｃをもう一度表示させたいと望む場合、例えば、軌跡Ｒｃがリアルタイムで表示されている様子をカメラ等の機器を用いて録画することが考えられる。しかし、この場合には、プロジェクターに加え、カメラ等の撮影用機器、及び、録画した映像を再生するための再生用機器（例えば再生機器及び映像を表示させるためのディスプレイ）が必要である。これに対し、本実施形態のプロジェクターＰＪは、軌跡Ｒｃを示す画像をリアルタイムに表示させることに加え、軌跡Ｒｃを示す情報に基づき、軌跡Ｒｃに応じた再生用の画像を生成し表示面ＳＣに表示させることができるため、別途の撮影用機器及び再生用機器は不要である。
【００５３】
また、対比例において、軌跡Ｒｃがリアルタイムで表示されている様子をカメラ等の機器を用いて録画する場合、軌跡Ｒｃの画像のみならず、軌跡Ｒｃを描画している利用者等の、不要な画像も併せて記録される。したがって、録画した映像には、軌跡Ｒｃに加え、不要な映像が含まれる。これに対し、本実施形態に係るプロジェクターＰＪによれば、軌跡Ｒｃに応じた再生用画像が表示される一方、不要な画像は表示されない。このため、本実施形態に係るプロジェクターＰＪによれば、対比例と比較して、再生される軌跡Ｒｃの画像の視認性が向上する。さらに、対比例においては映像が記憶されるのに対し、本実施形態では、位置情報Ｆｈ及び順序情報Ｆｂを含む軌跡情報ＴＦが記憶される。このように、本実施形態に係るプロジェクターＰＪが軌跡Ｒｃに応じた画像の再生のために記憶する情報量は、対比例と比較して少ない。このため、本実施形態に係るプロジェクターＰＪによれば、対比例と比較して、必要な記憶容量が削減される。
【００５４】
２．変形例
以上の形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００５５】
２．１．変形例１
上述した実施形態においては、軌跡情報ＴＦが、位置情報Ｆｈ及び順序情報Ｆｂを含む場合を例示して説明した。しかし、軌跡情報ＴＦは、位置情報Ｆｈ及び順序情報Ｆｂに加え、他の情報を含んでもよい。より具体的には、軌跡情報ＴＦは、再生軌跡画像ＭｔＰの特性を指定する特性情報Ｆｐ（「付加情報」の一例）を含んでもよい。
【００５６】
特性情報Ｆｐは、再生画像情報ＧｔＰが表す再生軌跡画像ＭｔＰを構成する線分（または点）の、例えば色、太さ、及び種類（例えば、実線、破線、点線等）等の特性を表す。図１１に、本変形例に係る軌跡情報ＴＦの一例を示す。図１１に示す軌跡情報ＴＦは、位置情報Ｆｈ及び順序情報Ｆｂに加え、特性情報Ｆｐを含む点を除き、図３に示す軌跡情報ＴＦと同様である。図１１に示す例において、特性情報Ｆｐは、座標情報Ｃｄと１対１に対応する、当該座標情報Ｃｄが示す位置において表示されるべき点の色を示すＮ個の特性情報要素ＦｐＥの集合である。
例えば、再生軌跡画像ＭｔＰが点Ｄｔｎの集合である場合、シーケンス番号「１」に対応する特性情報要素ＦｐＥは、座標情報Ｃｄ（１２５，２００）により指定される位置に示される点（再生軌跡画像ＭｔＰの一部）が、黒色であることを指定する。また、再生軌跡画像ＭｔＰが線分Ｗｋの集合である場合、各線分Ｗｋの特性は、当該線分Ｗｋが結ぶ２つの位置に対応する座標情報Ｃｄの２つのシーケンス番号のうちの一方（例えば、小さい方または大きい方）に対応する特性情報要素ＦｐＥにより指定される。
【００５７】
特性情報要素ＦｐＥは、当該特性情報要素ＦｐＥに対応する座標情報Ｃｄが検出された際に、電子ペンＰＴについて指定されていた特性と同じ特性を示すものであってよい。「電子ペンＰＴについて指定されていた特性」とは、描画モードまたは記録モードにおいて利用者Ｕｒが電子ペンＰＴで描画した場合に、入力軌跡画像ＭｔＲとして表示される線の特性を指す。
例えば、図１１の例において、シーケンス番号「１」に対応する特性情報要素ＦｐＥが示す特性は、検出部１１２が１番目に座標情報Ｃｄを検出した検出時点において電子ペンＰＴに指定されていた特性と同じでよい。この場合、判断部１１４は、利用者Ｕｒからの、電子ペンＰＴにより描画される線の特性を指定する指示を判断し、指示に応じた特性を示す特性情報要素ＦｐＥを記憶部１８に格納してもよい。そして、供給部１１６は、座標情報Ｃｄを軌跡情報生成部１０８に供給する際に記憶部１８から特性情報要素ＦｐＥを取得し、座標情報Ｃｄと併せて供給してもよい。
【００５８】
本変形例によれば、プロジェクターＰＪは、特性情報Ｆｐの指定する特性を有する再生軌跡画像ＭｔＰを表示させることができる。さらに、特性情報Ｆｐが、記録モードにおいて電子ペンＰＴの位置が検出された際に電子ペンＰＴについて指定されていた特性を示す場合には、プロジェクターＰＪは、入力軌跡画像ＭｔＲと同様の特性を有する再生軌跡画像ＭｔＰを表示させることができる。
【００５９】
なお、本変形例では、特性情報Ｆｐが軌跡Ｒｃを構成する線の色を示す場合を例示して説明したが、特性情報Ｆｐは、線の色に代えて、または、線の色に加えて、線の太さ及び種類等の他の特性を示してもよい。
【００６０】
２．２．変形例２
上述の実施形態及び変形例では、表示システムＳＹＳが１つの電子ペンＰＴを含む例を説明した。しかし、表示システムＳＹＳは、複数の電子ペンＰＴ１〜ＰＴＪを有してもよい（Ｊは、２≦Ｊを満たす整数）。各電子ペンＰＴｊは、電子ペンＰＴと同様の構成を有する（ｊは、１≦ｊ≦Ｊを満たす整数）。以下では、ｊ番目の電子ペンＰＴｊに対応する要素には、符号「ｊ」を付して説明する。例えば、電子ペンＰＴｊが備える接触センサーＰｔｓを、接触センサーＰｔｓｊと称する。
本変形例において、Ｊ本の電子ペンＰＴｊが、例えば、電子ペンＰＴｊ１（「第１の指示体」の一例）と電子ペンＰＴｊ２（「第２の指示体」の一例）とを含むと想定する（１≦ｊ１＜ｊ２≦Ｊ）。
【００６１】
本変形例において、記憶部１８に記憶されるモード情報Ｍｄは、各電子ペンＰＴｊについてのプロジェクターＰＪの動作モードを示す、単位モード情報Ｍｄｊを含む。判断部１１４は、座標情報Ｃｄｊの示す表示面ＳＣ上の位置が、ボタンＢｔが表示されている領域内にある場合には、電子ペンＰＴｊにより当該ボタンＢｔが選択されたと判断し、単位モード情報Ｍｄｊを更新する。
なお、以下の説明において、単にプロジェクターＰＪの動作モードに言及する場合には、各電子ペンＰＴｊについてのプロジェクターＰＪの動作モードが同じであるものとする。
【００６２】
記録モードにおいて、プロジェクターＰＪは、電子ペンＰＴｊから接触状態信号Ｓｐｔｊが送信されたタイミングにおいて撮像部１２が撮影した画像に基づいて、表示面ＳＣにおいて電子ペンＰＴｊが接触した位置を検出する。このようにして、プロジェクターＰＪは、表示面ＳＣ上における、電子ペンＰＴ１〜ＰＴＪのそれぞれの軌跡Ｒｃ１〜ＲｃＪの少なくとも１つを示す画像である入力軌跡表示画像ＭＲＴ（「軌跡画像」の一例）を生成し、入力軌跡表示画像ＭＲＴを含む画像ＩＭＧを、表示面ＳＣにリアルタイムに投射する。
例えば、入力軌跡表示画像ＭＲＴは、電子ペンＰＴｊ１の軌跡Ｒｃｊ１（「第１の軌跡」の一例）及び電子ペンＰＴｊ２の軌跡Ｒｃｊ２（「第２の軌跡」の一例）の少なくとも一方を示す。
【００６３】
検出部１１２は、撮像部１２から供給される撮像画像信号Ｇｃ及び信号受付部１４から供給される接触状態信号Ｓｐｔｊに基づいて表示面ＳＣ上における電子ペンＰＴｊの位置を検出し、検出の結果を示す座標情報Ｃｄｊを生成する。例えば、検出部１１２は、電子ペンＰＴｊ１及び電子ペンＰＴｊ２について、それぞれ座標情報Ｃｄｊ１（「第１検出情報」の一例）及び座標情報Ｃｄｊ２（「第２検出情報」の一例）を生成する。
検出部１１２は、電子ペンＰＴ１〜ＰＴＪの位置の検出を、プロジェクターＰＪの電源が入れられた後の同じタイミングで開始してもよいし、別々のタイミングで開始してもよい。例えば、検出部１１２は、電子ペンＰＴｊの電源が入れられた旨を示す電源状態信号Ｓｐｎｊを信号受付部１４が受信した後に電子ペンＰＴｊの位置の検出を開始してもよい。
【００６４】
供給部１１６は、記憶部１８に記憶されたモード情報Ｍｄに応じて制御部１０内の異なる要素に座標情報Ｃｄを供給する点において、実施形態と同様である。ただし、本変形例において、供給部１１６は、電子ペンＰＴｊに対応する単位モード情報Ｍｄｊに応じて、当該電子ペンＰＴｊに対応する座標情報Ｃｄｊを、制御部１０内の異なる要素に供給する。
例えば、供給部１１６は、単位モード情報Ｍｄｊが「記録モード」を示す場合には、座標情報Ｃｄｊを表示情報生成部１０４及び軌跡情報生成部１０８に供給する。単位モード情報Ｍｄｊが「描画モード」を示す場合、供給部１１６は、座標情報Ｃｄｊを表示情報生成部１０４に供給するが、軌跡情報生成部１０８には供給しない。
【００６５】
本変形例において、軌跡情報生成部１０８は、電子ペンＰＴｊごとに軌跡情報ＴＦを生成して異なるテーブルに格納し、記憶部１８に記憶させる。本変形例において、軌跡情報ＴＦは、電子ペンＰＴｊを識別する識別情報Ｆｔを含んでもよい。
より具体的には、軌跡情報生成部１０８は、供給部１１６から供給された座標情報Ｃｄｊに基づいて、電子ペンＰＴｊの軌跡Ｒｃｊを示す軌跡情報ＴＦ（ＴＦｊと称する）を生成する。例えば、軌跡情報生成部１０８は、電子ペンＰＴｊ１及び電子ペンＰＴｊ２について、それぞれ軌跡Ｒｃｊ１を示す軌跡情報ＴＦｊ１（「第１軌跡情報」の一例）及び軌跡ＲＣｊ２を示す軌跡情報ＴＦｊ２（「第２軌跡情報」の一例）を生成する。
そして、軌跡情報生成部１０８は、電子ペンＰＴｊを識別する識別情報Ｆｔを示す名前を有するテーブルＰＤｊに、電子ペンＰＴｊについての位置情報Ｆｈ及び順序情報Ｆｂを格納し、記憶部１８に記憶させる。図１２に、本変形例に係る軌跡情報ＴＦｊの一例を示す。図１２に示す軌跡情報ＴＦｊは、位置情報Ｆｈ及び順序情報Ｆｂに加えて識別情報Ｆｔを含む点を除き、図３に示す軌跡情報ＴＦの例と同様である。
【００６６】
本変形例において、表示情報生成部１０４は、座標情報Ｃｄｊに基づいて、表示面ＳＣに投射される画像ＩＭＧを表す表示画像信号Ｇｐを生成する。
より詳細には、表示情報生成部１０４は、記録モードまたは描画モードにおいては、供給部１１６から供給される、電子ペンＰＴ１〜ＰＴＪのうちの少なくとも１つの電子ペンＰＴｊに対応する座標情報Ｃｄｊに基づき、リアルタイムで表示される入力軌跡表示画像ＭＲＴを表す入力軌跡画像情報ＧＲＴ（「軌跡表示情報」の一例）を生成する。そして、表示情報生成部１０４は、入力軌跡画像情報ＧＲＴに基づき、入力軌跡表示画像ＭＲＴを含む画像ＩＭＧを表す表示画像信号Ｇｐを生成する。
実施形態と同様に、表示制御部１０６は、順次に生成された表示画像信号Ｇｐに基づき、画像ＩＭＧを順番に表示面ＳＣに表示させる。換言すると、表示制御部１０６は、表示画像信号Ｇｐに含まれる入力軌跡画像情報ＧＲＴに基づいて、表示面ＳＣに入力軌跡表示画像ＭＲＴを表示させる。
【００６７】
再生モードにおいて、表示情報生成部１０４は、各電子ペンＰＴｊについて生成された軌跡情報ＴＦｊを記憶部１８から取得し、取得した軌跡情報ＴＦｊに基づいて、再生軌跡表示画像ＭＰＢｊを表す再生軌跡画像情報ＧＰＢｊを生成する。再生軌跡表示画像ＭＰＢｊは、電子ペンＰＴｊについての記録モード処理の開始時刻から当該処理中のある時刻までの間の期間において記録された、電子ペンＰＴｊの軌跡Ｒｃｊを示す画像であって、再生モードにおいて表示面ＳＣに表示される。再生軌跡表示画像ＭＰＢｊは、再生軌跡画像ＭｔＰと同様に、生成画像の一種である。
例えば、表示情報生成部１０４は、軌跡情報ＴＦｊ１に基づいて再生軌跡表示画像ＭＰＢｊ１（「第１の再生画像」の一例）を表す再生軌跡画像情報ＧＰＢｊ１（「第１再生表示情報」の一例）を生成し、軌跡情報ＴＦｊ２に基づいて再生軌跡表示画像ＭＰＢｊ２（「第２の再生画像」の一例）を表す再生軌跡画像情報ＧＰＢｊ２（「第２再生表示情報」の一例）を生成する。
【００６８】
表示情報生成部１０４は、電子ペンＰＴ１〜ＰＴＪのうちの少なくとも１つの電子ペンＰＴｊに対応する再生軌跡画像情報ＧＰＢｊに基づき、少なくとも１つの再生軌跡表示画像ＭＰＢｊを含む画像ＩＭＧを表す表示画像信号Ｇｐを生成する。なお、表示情報生成部１０４が各再生軌跡画像情報ＧＰＢｊを生成する処理は、対応する軌跡情報ＴＦｊが用いられる点を除き、実施形態において説明した再生画像情報ＧｔＰが生成される処理と同様であるため、説明を割愛する。
【００６９】
実施形態と同様に、再生モードにおいて、表示制御部１０６は、順次に生成された表示画像信号Ｇｐに基づき、画像ＩＭＧを順番に表示面ＳＣに表示させる。換言すると、表示制御部１０６は、表示画像信号Ｇｐに含まれる少なくとも１つの再生軌跡画像情報ＧＰＢｊに基づいて、少なくとも１つの再生軌跡表示画像ＭＰＢｊを表示面ＳＣに表示させる。
例えば、表示制御部１０６は、表示画像信号Ｇｐに再生軌跡画像情報ＧＰＢｊ１が含まれる場合に、当該再生軌跡画像情報ＧＰＢｊ１に基づいて表示面ＳＣに再生軌跡表示画像ＭＰＢｊ１を表示させ、表示画像信号Ｇｐに再生軌跡画像情報ＧＰＢｊ２が含まれる場合に、当該再生軌跡画像情報ＧＰＢｊ２に基づいて表示面ＳＣに再生軌跡表示画像ＭＰＢｊ２を表示させ、表示画像信号Ｇｐに再生軌跡画像情報ＧＰＢｊ１及びＧＰＢｊ２が含まれる場合に、再生軌跡画像情報ＧＰＢｊ１及びＧＰＢｊ２に基づいて表示面ＳＣに再生軌跡表示画像ＭＰＢｊ１及びＭＰＢｊ２を表示させる。
【００７０】
本変形例によれば、プロジェクターＰＪは、電子ペンＰＴ１〜ＰＴＪのうちの少なくとも１つの電子ペンＰＴｊの軌跡Ｒｃｊを示す入力軌跡表示画像ＭＲＴをリアルタイムで表示面ＳＣに表示させた後に、少なくとも１つの電子ペンＰＴｊの軌跡Ｒｃｊに応じた再生軌跡表示画像ＭＰＢｊを表す再生軌跡画像ＭｔＰを表示面ＳＣに表示させることができる。特に、本変形例に係る軌跡情報ＴＦｊは電子ペンＰＴｊの識別情報Ｆｔを含むため、プロジェクターＰＪは、表示システムＳＹＳが複数の電子ペンＰＴ１〜ＰＴＪを含む場合であっても、各電子ペンＰＴｊに対応する再生軌跡表示画像ＭＰＢｊを選択的に表示させることができる。
【００７１】
２．３．変形例３
上述の実施形態及び変形例では、プロジェクターＰＪが記憶部１８を含む構成を例示した。しかし、記憶部１８は、プロジェクターＰＪに含まれなくてもよい。例えば、記憶部１８は、例えばＵＳＢ等の入出力インターフェースによりプロジェクターＰＪと接続された、例えばＵＳＢメモリ等の外部の記録装置でもよい。
【００７２】
２．４．変形例４
上述の実施形態及び変形例では、プロジェクターＰＪが信号受付部１４を含む構成を例示した。しかし、プロジェクターＰＪは、信号受付部１４を含まなくてもよい。本変形例において、検出部１１２は、撮像部１２から供給される撮像画像信号Ｇｃに基づいて、表示面ＳＣ上における電子ペンＰＴ（または電子ペンＰＴｊ）の位置を検出する。より具体的には、検出部１１２は、撮像画像信号Ｇｃに基づいて、表示面座標系のｘ軸及びｙ軸における電子ペンＰＴの位置に加え、ｘ軸及びｙ軸に直交する、ｚ軸における位置を検出する。そして、検出部１１２は、接触状態信号Ｓｐｔ（またはＳｐｔｊ）に代えて、検出されたｚ軸における位置に基づいて、電子ペンＰＴが表示面ＳＣに接触しているか否かを判断してもよい。
【００７３】
上述の実施形態及び変形例では、接触状態信号Ｓｐｔ（またはＳｐｔｊ）を送信する電子ペンＰＴ（またはＰＴｊ）を指示体の一例として説明したが、本変形例によれば、例えば利用者Ｕｒの指や通常のペン等の、接触状態信号Ｓｐｔ（またはＳｐｔｊ）を送信しない物体が、指示体として用いられ得る。
【００７４】
２．５．変形例５
上述の実施形態及び変形例では、軌跡情報ＴＦ（またはＴＦｊ）に含まれる順序情報Ｆｂが、位置情報Ｆｈに含まれる座標情報Ｃｄ（またはＣｄｊ）の示す位置が検出された順序を示すシーケンス番号を含む場合を例示して説明した。しかし、順序情報Ｆｂは、位置情報Ｆｈに含まれる座標情報Ｃｄ（またはＣｄｊ）の示す位置が検出された順序を示す情報であれば、上述の例に限定されない。
例えば、順序情報Ｆｂは、シーケンス番号に代えて、座標情報Ｃｄ（またはＣｄｊ）の示す位置が検出された時刻を示すタイムスタンプを含んでもよい。この場合、位置情報Ｆｈは、非検出座標情報Ｃｄｈ（またはＣｄｈｊ）を含まなくてもよい。再生軌跡画像ＭｔＰが線分Ｗｋの集合を示す態様において、表示情報生成部１０４は、２つの座標情報Ｃｄに対応する２つのタイムスタンプにより表される時間間隔の長さに基づいて、当該２つの座標情報Ｃｄ（またはＣｄｊ）が示す位置を線分で結ぶか否かを判断してもよい。
【００７５】
２．６．変形例６
上述の実施形態及び変形例では、再生モードにおいて、画像ＩＭＧが再生軌跡画像ＭｔＰ及びメニューＭＮを含む場合を例示して説明した。しかし、再生モードにおいて、画像ＩＭＧは、再生軌跡画像ＭｔＰ及びメニューＭＮに加え、他の生成画像を含んでもよい。例えば、再生軌跡画像ＭｔＰ１から再生軌跡画像ＭｔＰＮ−１が、再生期間にわたって順に表示される場合を想定する。この場合において、画像ＩＭＧは、現在表示されている再生軌跡画像ＭｔＰが、再生時刻Ｔｙ１から再生時刻ＴｙＮ−１の再生期間のうちのいずれの再生時刻Ｔｙに対応するのかを示すスライダーバーを含んでもよい。
また、判断部１１４は、座標情報Ｃｄ（またはＣｄｊ）の示す表示面ＳＣ上の位置が、スライダーバーが表示されている領域内にある場合には、スライダーバーが利用者Ｕｒにより操作されたと判断してよい。より具体的に、判断部１１４は、座標情報Ｃｄ（またはＣｄｊ）の示す位置に基づいて、利用者Ｕｒが指定する再生時刻Ｔｙを判断する。この場合、表示情報生成部１０４は、判断部１１４が判断した再生時刻Ｔｙ以降に対応する再生軌跡画像ＭｔＰを表す再生画像情報ＧｔＰを順に生成してもよい。
【００７６】
本変形例によれば、利用者Ｕｒは、現在表示されている再生軌跡画像ＭｔＰが、再生期間のうちのいずれの再生時刻Ｔｙに対応するのかを視認することができる。さらに、利用者Ｕｒは、スライダーバーを電子ペンＰＴで操作することで、所望の再生時刻Ｔｙに対応する再生軌跡画像ＭｔＰを表示させることができる。
【００７７】
２．７．変形例７
上述の実施形態及び変形例では、電子ペンＰＴ（またはＰＴｊ）に対応する１つの軌跡情報ＴＦ（またはＴＦｊ）が記憶部１８に記憶される場合を例示して説明した。しかし、電子ペンＰＴ（またはＰＴｊ）に対応する複数の軌跡情報ＴＦ（またはＴＦｊ）が記憶部１８に記憶されてもよい。この場合、電子ペンＰＴが再生ボタンＢｔｐを選択したと判断部１１４が判断した後（図４のステップS1）、表示情報生成部１０４が軌跡情報ＴＦを記憶部１８から取得する（図７のステップS502）前に、軌跡選択画像を含む画像ＩＭＧが表示面ＳＣに表示されてもよい。軌跡選択画像とは、再生ボタンＢｔｐを選択した電子ペンＰＴについて記憶された複数の軌跡情報ＴＦを識別する情報（例えばファイル名）を示す複数の軌跡識別画像を含む画像である。軌跡選択画像及び軌跡識別画像は、生成画像の一種である。
判断部１１４は、座標情報Ｃｄ（またはＣｄｊ）の示す表示面ＳＣ上の位置が、軌跡選択画像に含まれる複数の軌跡識別画像のうちの１つの軌跡識別画像が表示されている領域内にある場合に、当該１つの軌跡識別画像に対応する軌跡情報ＴＦ（またはＴＦｊ）が選択されたと判断する。表示情報生成部１０４は、判断部１１４が選択されたと判断した軌跡情報ＴＦを記憶部１８から取得し、図７のステップS504以降の処理を実行する。
【００７８】
本変形例によれば、利用者Ｕｒは、複数の軌跡情報ＴＦ（またはＴＦｊ）のうちの、所望の軌跡情報ＴＦに基づく再生軌跡画像ＭｔＰを表示させることができる。
【００７９】
２．８．変形例８
上述の実施形態及び変形例では、再生モードにおいて、供給部１１６が制御部１０内のいずれの要素にも座標情報Ｃｄを供給しない場合を例示して説明した。しかし、供給部１１６は、再生モードの場合においても、座標情報Ｃｄを表示情報生成部１０４、または、表示情報生成部１０４及び軌跡情報生成部１０８に供給してもよい。すなわち、再生モードにおいても、表示情報生成部１０４は入力画像情報ＧｔＲを生成し、表示制御部１０６は入力軌跡画像ＭｔＲをリアルタイムで表示させてもよい。
【００８０】
より具体的に、表示情報生成部１０４は、電子ペンＰＴ（またはＰＴｊ）について、再生モードにおける処理を実行しつつ、当該電子ペンＰＴについて例えば記録モードまたは描画モードにおける処理を実行してもよい。すなわち、本変形例において、表示情報生成部１０４は、電子ペンＰＴの一の軌跡Ｒｃに応じた再生軌跡画像ＭｔＰと、当該電子ペンＰＴの他の軌跡Ｒｃを示す入力軌跡画像ＭｔＲと、を含む画像ＩＭＧを表す表示画像信号Ｇｐを生成する。ここで、「一の軌跡Ｒｃに応じた再生軌跡画像ＭｔＰ」は、記憶部１８から取得した軌跡情報ＴＦに基づいて生成される再生画像情報ＧｔＰが表す画像である。また、「他の軌跡Ｒｃを示す入力軌跡画像ＭｔＲ」は、供給部１１６から供給される座標情報Ｃｄに基づいて生成され、利用者Ｕｒによる描画と並行してリアルタイムに表示される画像である。
【００８１】
なお、本変形例において、表示情報生成部１０４は、記憶部１８から取得した軌跡情報ＴＦに含まれる座標情報Ｃｄ（座標情報Ｃｄrvdと称する）と、供給部１１６から供給される座標情報Ｃｄ（座標情報Ｃｄrtと称する）と、を区別して処理する必要性が生じることが考えられる。この場合、表示情報生成部１０４は、座標情報Ｃｄrvdを電子ペンＰＴについての情報として処理する一方、座標情報Ｃｄrtを当該電子ペンＰＴ（一の電子ペンＰＴ）とは異なる他の電子ペンＰＴについての情報として処理してもよい。ここで、他の電子ペンＰＴとは、一の電子ペンＰＴを識別する識別情報とは異なる識別情報が割り当てられた、物理的な電子ペンＰＴでもよいし、仮想的な電子ペンＰＴでもよい。ただし、表示情報生成部１０４が、再生モードにおける処理と、記録モードにおける処理とを並行して実行する場合、記録モードにおいて生成される軌跡情報ＴＦは、他の電子ペンＰＴではなく、一の電子ペンＰＴと対応付けられて記憶される。
【００８２】
本変形例によれば、利用者Ｕｒは、一の電子ペンＰＴが過去に描画し、記録された一の軌跡Ｒｃを再生軌跡画像ＧｔＲとして表示面ＳＣに表示させつつ、一の電子ペンＰＴが描画する他の軌跡Ｒｃを入力軌跡画像ＭｔＲとしてリアルタイムで表示させることができる。このため、利用者Ｕｒは、例えば、図８〜図１０に例示されるような一の軌跡Ｒｃに対して、リアルタイムで他の軌跡Ｒｃ（例えば、下線または／及び丸印）を電子ペンＰＴにより描画することができる。
【００８３】
２．９．変形例９
上述の実施形態及び変形例では、入力軌跡画像ＭｔＲが表示される表示面ＳＣ上の位置と、再生軌跡画像ＭｔＰが表示される表示面ＳＣ上の位置とが、略等しい場合を例示して説明した。しかし、図１３に示すように、入力軌跡画像ＭｔＲが表示される位置と再生軌跡画像ＭｔＰが表示される位置とは、異なっていてもよい。図１３では、入力軌跡画像ＭｔＲが表示される位置と、再生軌跡画像ＭｔＰが表示される位置との違いを示すため、入力軌跡画像ＭｔＲを点線で示す。本変形例において、表示情報生成部１０４は、入力軌跡画像ＭｔＲが表示された表示面ＳＣ上の位置から、所定の変位量Ｃoffに相当する距離及び方向にずらした位置（オフセットした位置）に、再生軌跡画像ＭｔＰが表示されるよう、再生画像情報ＧｔＰを生成する。
【００８４】
本変形例において、利用者Ｕｒは、再生ボタンＢｔｒを選択した後、再生軌跡画像ＭｔＰの始点（例えば、線分Ｗ１の始点または点Ｄｔ１）となる位置（再生開始位置と称する）を指定する。本変形例に係る供給部１１６は、利用者Ｕｒにより指定された再生開始位置の座標を示す座標情報Ｃｄ（始点座標情報Ｃｄstと称する）を、表示情報生成部１０４に供給する。表示情報生成部１０４は、始点座標情報Ｃｄst及び記憶部１８から取得した軌跡情報ＴＦに含まれる座標情報Ｃｄ（座標情報Ｃｄrvdと称する場合がある）に基づき、変位量Ｃoffを算出する。例えば、表示情報生成部１０４は、非検出座標情報Ｃｄｈを除く座標情報Ｃｄrvdのうち、最も小さいシーケンス番号に対応するＣｄrvdが示す座標（すなわち、入力軌跡画像ＭｔＲの始点を示す座標）と始点座標情報Ｃｄstが示す座標との差分を変位量Ｃoffとして算出する。そして、表示情報生成部１０４は、例えば、座標情報Ｃｄrvdが示す座標に変位量Ｃoffを加算することにより、オフセット後の座標情報Ｃｄ（座標情報Ｃｄosと称する）を生成する。表示情報生成部１０４は、生成した座標情報Ｃｄosに基づき、再生画像情報ＧｔＰを生成する。
【００８５】
なお、座標情報Ｃｄosが示すｘ及びｙの少なくとも一方の値が、予め定められた上限値を超える場合において、表示情報生成部１０４は、非検出座標情報Ｃｄｈのように、特定の位置を示さない座標情報Ｃｄosを生成してもよい。「予め定められた上限値」とは、例えば、投射部１６が投射可能な最大領域により規定されるｘ及びｙの最大値でもよいし、利用者Ｕｒにより指定された領域におけるｘ及びｙの最大値であってもよい。
【００８６】
図１４に、図３に例示する軌跡情報ＴＦに含まれる座標情報Ｃｄに基づいて表示情報生成部１０４が生成する座標情報Ｃｄosの例を、対応するシーケンス番号とともに示す。この例では、始点座標情報Ｃｄstがｘ＝２２５,ｙ＝４００を示し、変位量Ｃoffはｘ＝１００，ｙ＝２００であると想定する。図３及び図１４から理解されるように、表示情報生成部１０４は、例えばＣｄＳＮ３（１３０，２０４）に基づき、シーケンス番号「３」に対応する座標情報Ｃｄos（２３０，４０４）を生成する。
表示情報生成部１０４は、以上のようにして生成した座標情報Ｃｄosに基づいて再生画像情報ＧｔＰを生成し、表示制御部１０６は、再生画像情報ＧｔＰが表す再生軌跡画像ＭｔＰを表示面ＳＣに表示させる。
【００８７】
本変形例によれば、利用者Ｕｒは、再生モードにおいて、記録モードにおいて描画した軌跡Ｒｃを示す入力軌跡画像ＭｔＲとは異なる任意の位置に、当該軌跡Ｒｃに応じた再生軌跡画像ＭｔＰを表示させることができる。
【００８８】
２．１０．変形例１０
上述の実施形態及び変形例では、表示装置としてプロジェクターＰＪを例示して説明したが、表示装置は投射型の表示装置に限定されるものではなく、例えば電子ホワイトボードや、タッチパネル等のインタラクティブ型のディスプレイを備えた端末装置などの、直視型の表示装置でもよい。
【００８９】
以上の説明から理解されるように、本発明は、プロジェクターＰＪのような表示装置としても、表示装置が実行する処理を実現するための表示装置の制御方法としても、表示装置に処理を実行させるために表示装置のプロセッサー（例えばＣＰＵ）が実行するプログラムとしても理解され得る。本発明に係るプログラムは、当該プログラムを記憶させた記録媒体の形態で提供されてもよいし、インターネット等のネットワークを介して情報処理装置のプロセッサーにダウンロードさせることにより提供されてもよい。
【符号の説明】
【００９０】
１０…制御部、１２…撮像部、１４…信号受付部、１６…投射部、１８…記憶部、１０２…操作情報処理部、１０４…表示情報生成部、１０６…表示制御部、１０８…軌跡情報生成部、１１２…検出部、１１４…判断部、１１６…供給部、Ｃｄ…座標情報、Ｆｂ…順序情報、Ｆｈ…位置情報、Ｆｐ…特性情報、Ｆｔ…識別情報、Ｇｐ…表示画像信号、ＧＰＢ…再生軌跡画像情報、ＧＲＴ…入力軌跡画像情報、ＧｔＰ…再生画像情報、ＧｔＲ…入力画像情報、ＩＭＧ…画像、ＭＮ…メニュー、ＭＰＢ…再生軌跡表示画像、ＭＲＴ…入力軌跡表示画像、ＭｔＰ…再生軌跡画像、ＭｔＲ…入力軌跡画像、ＰＪ…プロジェクター、ＰＴ…電子ペン、Ｒｃ…軌跡、ＳＣ…表示面、ＳＹＳ…表示システム、ＴＦ…軌跡情報。
【図１】
2019036024.tif 000003
【図２】
2019036024.tif 000004
【図３】
2019036024.tif 000005
【図４】
2019036024.tif 000006
【図５】
2019036024.tif 000007
【図６】
2019036024.tif 000008
【図７】
2019036024.tif 000009
【図８】
2019036024.tif 000010
【図９】
2019036024.tif 000011
【図１０】
2019036024.tif 000012
【図１１】
2019036024.tif 000013
【図１２】
2019036024.tif 000014
【図１３】
2019036024.tif 000015
【図１４】
2019036024.tif 000016